Podtech/llm-jp-corpus-v4-ja_patent huggingface dataset:
【誤訳訂正書】
【提出日】平成29年6月6日(2017.6.6)
【誤訳訂正１】
【訂正対象書類名】特許請求の範囲
【訂正対象項目名】全文
【訂正方法】変更
【訂正の内容】
【特許請求の範囲】
【請求項１】
電気モータであって、
多数の磁極を形成する複数の相巻線を有するステータと、
ロータコアと、該ロータコアに固定される永久磁石とを有するロータと、
前記ロータコアに結合される出力軸と、
前記ロータを前記ステータに磁気吸引して、予め設定された、対応するトルク変動を発生させるディテントトルクでもって、前記ロータを前記ステータに対して所望の回転方向に保持するように構成されるディテント機構であって、半径方向外側突出部を有する少なくとも１のディテントプレートを含み、当該半径方向外側突出部がディテントプレートを保持してハウジングとの間で磁気連結を完成させるようモータのハウジングと係合するディテント機構と、
を備え、
前記相巻線は、非対称であり、前記ディテントトルクと組み合わせる場合、出力トルクのピークの３５％よりも小さい所望のトルクリップルを有する組み合わせ出力トルクを生成する異なる励起トルクを発生させる、モータ。
【請求項２】
前記所望のディテントトルクが、前記ピーク出力トルクの５％と５０％との間にある、請求項１に記載のモータ。
【請求項３】
前記所定のディテントトルクが、前記ピーク出力トルクの１５％から３０％の間にある、請求項１に記載のモータ。
【請求項４】
前記ディテントトルクが、前記励起トルクの少なくとも１０％である、請求項１に記載のモータ。
【請求項５】
前記ステータ相の数が２であり、第１の相巻線が発生する前記ピーク励起トルクが第２の相巻線のピーク励起トルクよりも少なくとも１０％だけ小さい、請求項１から４の何れかに記載のモータ。
【請求項６】
前記２つの相巻線が、異なる巻回数を有し、異なる励起トルクを発生する、請求項５記載のモータ。
【請求項７】
前記ステータが、前記２つの相に対応する２つの半体を有し、異なる寸法及び／又は歯状磁極形態を有し、異なる励起トルクを発生する、請求項５記載のモータ。
【請求項８】
前記２つの相の励起トルクの間の差異は、１．５倍程度である、請求項５から７のいずれかに記載のモータ。
【請求項９】
前記ディテントトルク及び前記励起トルクが、振幅及び位相において最適な補償を得るためにトルクリップルを低減するように設計され、前記ディテントトルクの周波数が、前記励起トルクの周波数の２倍であり、前記ディテントトルクの最小／最大は前記励起トルクの最小／最大と同相である、請求項５記載のモータ。
【請求項１０】
前記モータが、ステッピングモータである、請求項１から９のいずれかに記載のモータ。
【請求項１１】
請求項１０によるステッピングモータを組み込んだリニアアクチュエータ。
【請求項１２】
前記出力軸の回転が阻止され、前記出力軸は、前記ロータの回転が前記出力軸の直線運動を引き起こすようにスクリュー機構によって前記ロータに結合され、前記スクリュー機構が高い効率を有する、請求項１１に記載のリニアアクチュエータ。
【請求項１３】
前記スクリュー機構が、３０％よりも大きなスクリューナット効率を有する、請求項１２に記載のリニアアクチュエータ。
【請求項１４】
前記スクリュー機構が、４０％と６０％との間のスクリューナット効率を有する、請求項１２に記載のリニアアクチュエータ。
【請求項１５】
リニアステッピングモータであって、
多数の磁極を形成する複数の相巻線を有するステータと、
ロータコアと、該ロータコアに固定される永久磁石とを有するロータと、
前記ロータコアの回転が直線運動を引き起こすように、スクリュー機構を介して前記ロータコアに結合される出力軸と、
前記ロータを前記ステータに磁気吸引して、予め設定されたディテントトルクでもって、前記ロータを前記ステータに対して所望の回転方向に保持するように構成されるディテント機構であって、半径方向外側突出部を有する少なくとも１のディテントプレートを含み、当該半径方向外側突出部がディテントプレートを保持してハウジングとの間で磁気連結を完成させるようモータのハウジングと係合するディテント機構と、
を備え、
前記ステータの磁極ペアの数が、１０より多く、前記スクリュー機構のスクリュー効率が、５０％又はそれ以上である、リニアステッピングモータ。
【請求項１６】
請求項１１から１５のいずれかに記載のリニアアクチュエータを組み込んだ車両用ヘッドライト調節機構。
【誤訳訂正２】
【訂正対象書類名】明細書
【訂正対象項目名】００３１
【訂正方法】変更
【訂正の内容】
【００３１】
磁極プレート２６及びディテントプレート２８の各々は、半径方向外側突出部４６を有し、突出部４６は、各プレートを所定位置に保持して、ハウジングとの間で磁気連結を完成させるようにハウジングと係合する。ディテントフィンガ２９は、ロータのそれぞれの磁極を吸引するように配置される。中間のディテントプレート上に配置すると、ディテントの位置の管理が容易になる。本実施形態において、ディテントの位置は、結果として得られトルクが図４に示す相トルクと整列するように配置される。図示のように、ディテントトルク曲線は、プラス側で第１の相トルク曲線と整列し、マイナス側で第２の相トルク曲線と整列する。従って、第１の相トルクのサイズを小さくすることによって、及び第２の相トルクのサイズを大きくすることによって、トルクリップルを含むモータの全体的な出力は、図６のグラフで示すようなディテントトルクを全く生じないモータと同じにするか又はそれに類似したものにすることができる。ディテントトルクが無いことは、永久磁石を有する全てのモータが何らかのディテントトルクを有するので、有意に又は明白に増大したディテントトルクがないことを事実上意味しているが、これはモータの性能に著しく影響を与えないか、又は少なくとも容認できる影響を与える値まで低減することができる。
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
表示装置と、栽培計画データベースを含む複数のデータベースを有するサーバと、前記表示装置と前記サーバとの間に接続される専用端末とで構成される栽培計画管理システムであって、
前記専用端末は、前記表示装置に表示された栽培計画作成画面上からの入力操作により作成される農作物を栽培する際に必要な作業内容と実施時期とが設定された前記農作物毎の栽培計画を示す栽培計画データを前記サーバの前記栽培計画データベースに格納し、
前記サーバは、前記栽培計画データベースに格納された前記栽培計画データに設定された前記作業内容の前記実施時期が到来したことを判定して自動的に通知情報を生成し、前記専用端末を介して前記表示装置に表示し、
前記専用端末は、前記表示装置に表示された前記通知情報の画面上からの入力操作に応じて前記作業内容が実施されたことを示す実績データを前記栽培計画データベースの前記栽培計画データ上に登録し、
前記専用端末は、前記表示装置からの閲覧指示の入力操作に応じて前記サーバから送信された前記栽培計画データを取得し、前記表示装置にカレンダー形式の栽培計画閲覧画面を表示する栽培計画管理システム。
【請求項２】
前記サーバは、前記農作物を栽培する際に使用される肥料であって、ユーザが所有している肥料と使用期限を示す肥料データを格納する肥料データベースを更に有し、
前記専用端末は、前記表示装置に表示された前記栽培計画閲覧画面上から肥料の入力操作が指示された場合、前記サーバの前記肥料データベースに格納された前記肥料データを選択対象として優先的に前記表示装置に提示する請求項１に記載の栽培計画管理システム。
【請求項３】
前記サーバは、前記農作物を栽培する際に使用される農薬であって、ユーザが所有している農薬と使用期限と使用制限回数とを示す農薬データを格納する農薬データベースを有し、
前記専用端末は、前記表示装置に表示された前記栽培計画閲覧画面上から農薬の入力操作が指示された場合、前記サーバの前記農薬データベースに格納された農薬データを選択対象として優先的に前記表示装置に提示する請求項１に記載の栽培計画管理システム。
【請求項４】
前記専用端末は、前記通知情報を前記作業時期の当日又は一定期間前に通知する請求項１に記載の栽培計画管理システム。
【請求項５】
前記栽培計画閲覧画面には、複数の作業が実施されたことを各々判別可能なアイコンを用いて前記実績データが表示される請求項１に記載の栽培計画管理システム。
【請求項６】
前記栽培計画閲覧画面には、前記農作物を栽培する際に必要な複数の作業内容を、複数の色を用いて各々判別可能なように設定した栽培計画が表示される請求項１に記載の栽培計画管理システム。
【請求項７】
前記表示装置は、リモートコントローラによって入力操作が可能なＴＶ装置である請求項１に記載の栽培計画管理システム。
【請求項８】
表示装置と、栽培計画データベースを含む複数のデータベースを有するサーバと、前記表示装置と前記サーバとの間に接続される専用端末とで構成される栽培計画管理システムの方法であって、
前記表示装置に表示された栽培計画作成画面上からの入力操作により作成される農作物を栽培する際に必要な作業内容と実施時期とが設定された前記農作物毎の栽培計画を示す栽培計画データを前記専用端末を介して前記サーバの前記栽培計画データベースに格納し、
前記サーバが前記栽培計画データベースに格納された前記栽培計画データに設定された前記作業内容の前記実施時期が到来したことを判定して自動的に通知情報を生成し、前記専用端末を介して前記表示装置に送信し、
前記表示装置に表示された前記通知情報の画面上からの入力操作に応じて前記作業内容が実施されたことを示す実績データを前記専用端末から前記サーバに送信し、
前記サーバが前記栽培計画データベースの前記栽培計画データ上に前記実績データを登録し、
前記表示装置からの閲覧指示の入力操作に応じて前記サーバから送信された前記栽培計画データを前記専用端末が取得し、前記表示装置にカレンダー形式の栽培計画閲覧画面を表示する方法。
【手続補正２】
【補正対象書類名】明細書
【補正対象項目名】０００９
【補正方法】変更
【補正の内容】
【０００９】
実施形態に係る栽培計画管理システムは、表示装置と、栽培計画データベースを含む複数のデータベースを有するサーバと、前記表示装置と前記サーバとの間に接続される専用端末とで構成される。前記専用端末は、前記表示装置に表示された栽培計画作成画面上からの入力操作により作成される農作物を栽培する際に必要な作業内容と実施時期とが設定された前記農作物毎の栽培計画を示す栽培計画データを前記サーバの前記栽培計画データベースに格納する。前記サーバは、前記栽培計画データベースに格納された前記栽培計画データに設定された前記作業内容の前記実施時期が到来したことを判定して自動的に通知情報を生成し、前記専用端末を介して前記表示装置に表示する。前記専用端末は、前記表示装置に表示された前記通知情報の画面上からの入力操作に応じて前記作業内容が実施されたことを示す実績データを前記栽培計画データベースの前記栽培計画データ上に登録する。前記専用端末は、前記表示装置からの閲覧指示の入力操作に応じて前記サーバから送信された前記栽培計画データを取得し、前記表示装置にカレンダー形式の栽培計画閲覧画面を表示する。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
筺体と、前記筺体に弾性支持された外槽と、前記外槽に回転自在に支持された内槽と、前記内槽の下部に衣類を撹拌するための回転翼と、乾燥用空気を前記内槽の内部に送風する送風ファンと、乾燥用空気を前記内槽の内部へ導く乾燥ダクトと、前記内槽の内周の一部に設けられ、前記乾燥ダクトから送風された乾燥用空気を前記内槽の上方から下方へ導く内槽乾燥風路を備えた洗濯乾燥機において、
前記内槽乾燥風路の入口の開口と前記乾燥ダクトの乾燥風送風口の開口が一致した時に開口一致信号を出力する位置センサ組立体を前記内槽と前記外槽の間に設けたことを特徴とする洗濯乾燥機。
【請求項２】
請求項１に記載の洗濯乾燥機において、
前記位置センサ組立体は永久磁石と磁気形近接センサから構成され、前記永久磁石は前記内槽に設けられ、前記磁気形近接センサは前記外槽の槽カバーに取り付けられていることを特徴とする洗濯乾燥機。
【請求項３】
請求項２に記載の洗濯乾燥機において、
前記磁気形近接センサは、前記槽カバーの内蓋のヒンジより乾燥ダクト側の前記槽カバーの流体バランサーの投影面上に取り付けられていることを特徴とする洗濯乾燥機。
【請求項４】
請求項３に記載の洗濯乾燥機において、
前記永久磁石は前記内槽の前記流体バランサーの上面に取り付けられ、前記磁気形近接センサは前記槽カバーの上面の前記流体バランサーの投影面上に取り付けられていることを特徴とする洗濯乾燥機。
【請求項５】
筺体と、前記筺体に弾性支持された外槽と、前記外槽に回転自在に支持され電動機で回転される内槽と、前記内槽の下部に衣類を撹拌するための回転翼と、乾燥用空気を前記内槽の内部に送風する送風ファンと、乾燥用空気を前記内槽の内部へ導く乾燥ダクトと、前記内槽の内周の一部に設けられ、前記乾燥ダクトから送風された乾燥用空気を前記内槽の上方から下方へ導く内槽乾燥風路と、前記電動機及び前記送風ファンの回転を制御する制御装置を備えた洗濯乾燥機において、
前記内槽乾燥風路の入口の開口と前記乾燥ダクトの乾燥風送風口の開口が一致した時に前記制御装置に開口一致信号を出力する位置センサ組立体を前記内槽と前記外槽の間に設け、前記制御装置は、乾燥運転において前記内槽が回転して前記位置センサ組立体から開口一致信号が出力されると、前記電動機の駆動信号を停止することを特徴とする洗濯乾燥機。
【手続補正書】
【提出日】平成29年7月28日(2017.7.28)
【手続補正１】
【補正対象書類名】特許請求の範囲
【補正対象項目名】請求項５
【補正方法】変更
【補正の内容】
【請求項５】
上記電極ユニットが第１放電電極と第２放電電極を有しており、
上記高電圧発生回路が、上記第１放電電極に対して正の直流電圧を印加し第２放電電極に対して負の直流電圧を印加する第１極性パターンの電圧と、上記第１放電電極に対して負の直流電圧を印加し第２放電電極に対して正の直流電圧を印加する第２極性パターンの電圧とを、交互に連続的に切換えて上記電極ユニットに対して出力するものである、
ことを特徴とする請求項４に記載のイオナイザ。
【手続補正２】
【補正対象書類名】明細書
【補正対象項目名】０００９
【補正方法】変更
【補正の内容】
【０００９】
本発明に係るイオナイザにおいては、上記電源制御部が、正及び負のパルス状の高電圧を交互に連続的に出力するものであっても良い。
このとき、好ましくは、上記電源制御部が、発振電源からの発振電圧を昇圧して正及び負の直流電圧に変換すると共に、該正及び負の直流電圧を交互に連続的に切換えて上記電極ユニットに対して出力する高電圧発生回路を有している。また、より好ましくは、上記電極ユニットが第１放電電極と第２放電電極を有しており、上記高電圧発生回路が、上記第１放電電極に対して正の直流電圧を印加し第２放電電極に対して負の直流電圧を印加する第１極性パターンの電圧と、上記第１放電電極に対して負の直流電圧を印加し第２放電電極に対して正の直流電圧を印加する第２極性パターンの電圧とを、交互に連続的に切換えて上記電極ユニットに対して出力するものである。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
筒状のハウジング（２）と、
該ハウジング（２）の内側に保持された筒状の絶縁碍子（３）と、
先端部が突出するように上記絶縁碍子（３）の内側に保持された中心電極（４）と、
基端部が突出するように上記絶縁碍子（３）の内側に保持された端子金具（７）と、
上記中心電極（４）との間に火花放電ギャップ（Ｇ）を形成する接地電極（５）と、
上記中心電極（４）と上記端子金具（７）との間において上記絶縁碍子（３）の内側に配置されたカーボンを含有するレジスタ（６）と、を有し、
該レジスタ（６）は、軸方向（Ｘ）における中央よりも先端側の第１領域（６１）が、軸方向（Ｘ）における中央よりも基端側の第２領域（６２）よりも、カーボンの含有率が高く、
上記レジスタ（６）は、カーボンの含有率が一様である一様部位（８）を少なくとも軸方向（Ｘ）の２か所に有し、少なくとも一つの一様部位（８）は上記レジスタ（６）の先端に配された先端側部位（８１）であり、該先端側部位（８１）のカーボンの含有率は、他の一様部位（８）のカーボンの含有率よりも高いことを特徴とする内燃機関用のスパークプラグ（１）。
【請求項２】
上記レジスタ（６）は、上記先端側部位（８１）と、該先端側部位（８１）の基端側に配された上記一様部位（８）である基端側部位（８２）と、の２つの上記一様部位（８）を有し、上記先端側部位（８１）の軸方向（Ｘ）の長さをＬａ、上記先端側部位（８１）のカーボン含有率をＣ１重量％、上記基端側部位（８２）のカーボン含有率をＣ２重量％、上記レジスタ（６）の軸方向（Ｘ）の長さをＬ、としたとき、０．１Ｌ≦Ｌａ≦０．７Ｌ、Ｃ１／Ｃ２≧１．１、Ｃ１≦３．５、Ｃ２≧０．９、の関係を満たすことを特徴とする請求項１に記載の内燃機関用のスパークプラグ（１）。
【請求項３】
上記Ｃ１及び上記Ｃ２は、Ｃ１≦３、Ｃ２≧１．３、を満たすことを特徴とする請求項２に記載の内燃機関用のスパークプラグ（１）。
【手続補正２】
【補正対象書類名】明細書
【補正対象項目名】００１０
【補正方法】変更
【補正の内容】
【００１０】
本発明の一態様は、筒状のハウジングと、
該ハウジングの内側に保持された筒状の絶縁碍子と、
先端部が突出するように上記絶縁碍子の内側に保持された中心電極と、
基端部が突出するように上記絶縁碍子の内側に保持された端子金具と、
上記中心電極との間に火花放電ギャップを形成する接地電極と、
上記中心電極と上記端子金具との間において上記絶縁碍子の内側に配置されたカーボンを含有するレジスタと、を有し、
該レジスタは、軸方向における中央よりも先端側の第１領域が、軸方向における中央よりも基端側の第２領域よりも、カーボンの含有率が高く、
上記レジスタは、カーボンの含有率が一様である一様部位を少なくとも軸方向の２か所に有し、少なくとも一つの一様部位は上記レジスタの先端に配された先端側部位であり、該先端側部位のカーボンの含有率は、他の一様部位のカーボンの含有率よりも高いことを特徴とする内燃機関用のスパークプラグにある。
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
図柄を変動表示させる図柄変動表示手段と、
遊技に係わる演出画像を記憶する記憶手段と、
該記憶手段に記憶される前記演出画像を表示装置に表示する制御を行う表示制御手段と、
遊技者が操作可能な第１の操作手段及び第２の操作手段と、
を備え、
前記演出画像は、第１の演出画像と、該第１の演出画像とは異なる第２の演出画像と、を含み、
前記表示制御手段は、前記第１の操作手段による操作が行われたとき、当該操作に応じて前記第１の演出画像を所定の順序に従って前記表示装置に表示させるとともに、前記第２の操作手段による操作が行われたとき、当該操作に応じて前記第２の演出画像を所定の順序に従って、前記表示装置に表示させ、
前記表示制御手段により表示された前記第１の演出画像及び前記第２の演出画像に関連した情報を夫々記憶する情報記憶手段を備え、
前記表示制御手段は、
前記第１の操作手段又は前記第２の操作手段による操作に応じて、前記情報記憶手段に記憶した前記情報に基づいて前記第１演出画像又は前記第２の演出画像を夫々表示させることを特徴とする遊技機。
【手続補正２】
【補正対象書類名】明細書
【補正対象項目名】０００６
【補正方法】変更
【補正の内容】
【０００６】
上記の課題を解決するために、本発明の第１の形態は、図柄を変動表示させる図柄変動表示手段と、遊技に係わる演出画像を記憶する記憶手段と、該記憶手段に記憶される前記演出画像を表示装置に表示する制御を行う表示制御手段と、遊技者が操作可能な第１の操作手段及び第２の操作手段と、を備え、前記演出画像は、第１の演出画像と、該第１の演出画像とは異なる第２の演出画像と、を含み、前記表示制御手段は、前記第１の操作手段による操作が行われたとき、当該操作に応じて前記第１の演出画像を所定の順序に従って前記表示装置に表示させるとともに、前記第２の操作手段による操作が行われたとき、当該操作に応じて前記第２の演出画像を所定の順序に従って、前記表示装置に表示させ、前記表示制御手段により表示された前記第１の演出画像及び前記第２の演出画像に関連した情報を夫々記憶する情報記憶手段を備え、前記表示制御手段は、前記第１の操作手段又は前記第２の操作手段による操作に応じて、前記情報記憶手段に記憶した前記情報に基づいて前記第１演出画像又は前記第２の演出画像を夫々表示させることを特徴とする。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者に有利な特別遊技を実行するか否かを判定するとともに、該判定の結果を報知するための報知演出を実行し、該判定の結果が特別判定結果である場合は前記特別遊技を実行する遊技機であって、
前記報知演出には、複数種類の特定演出のうちいずれかの特定演出を実行可能な報知演出が含まれ、
前記特定演出を実行する場合、該特定演出の開始に際して、前記判定の結果が前記特別判定結果である期待度を示唆する示唆表示を実行し、
前記示唆表示の表示態様を、第１の表示態様と、該第１の表示態様よりも前記特別判定結果である期待度が高い第２の表示態様とのいずれかに決定し、
前記特定演出を実行する報知演出では、該特定演出を開始するときに前記示唆表示を表示する開始演出を実行した後に該特定演出を実行し、
前記特定演出が開始される前に第１演出、または、該第１演出よりも前記特別判定結果である期待度が高い第２演出を実行可能であり、
前記第２演出が実行された場合、前記第１演出が実行された場合に比べて前記第２の表示態様が決定され易く、
前記第１演出が実行された場合、前記特定演出以外の演出が実行されることがある、ことを特徴とする遊技機。
【手続補正２】
【補正対象書類名】明細書
【補正対象項目名】０００６
【補正方法】変更
【補正の内容】
【０００６】
本発明にかかる遊技機は、始動条件が成立した場合、遊技者に有利な特別遊技を実行するか否かを判定するとともに、該判定の結果を報知するための報知演出を実行し、該判定の結果が特別判定結果である場合は前記特別遊技を実行する遊技機であって、前記報知演出には、複数種類の特定演出のうちいずれかの特定演出を実行可能な報知演出が含まれ、前記特定演出を実行する場合、該特定演出の開始に際して、前記判定の結果が前記特別判定結果である期待度を示唆する示唆表示を実行し、前記示唆表示の表示態様を、第１の表示態様と、該第１の表示態様よりも前記特別判定結果である期待度が高い第２の表示態様とのいずれかに決定し、前記特定演出を実行する報知演出では、該特定演出を開始するときに前記示唆表示を表示する開始演出を実行した後に該特定演出を実行し、前記特定演出が開始される前に第１演出、または、該第１演出よりも前記特別判定結果である期待度が高い第２演出を実行可能であり、前記第２演出が実行された場合、前記第１演出が実行された場合に比べて前記第２の表示態様が決定され易く、前記第１演出が実行された場合、前記特定演出以外の演出が実行されることがある、ことを特徴とする。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
記憶部を備え、ゲームを実行するコンピュータにおけるゲーム制御方法であって、
前記ゲームを実行するプレイヤについて、前記ゲームが実行されるたびに消費される第１の所有ポイント及び第２の所有ポイント、並びに、前記第１の所有ポイントを回復させるための回復アイテムを前記記憶部に記憶し、
前記ゲームの進行によって前記第１の所有ポイントが所定値未満となった場合、前記回復アイテムを用いて前記第１の所有ポイントを自動的に回復させ、
前記第１の所有ポイントの回復に応じて前記第２の所有ポイントを回復させる、
ことを含むことを特徴とするゲーム制御方法。
【請求項２】
プレイヤによる前記第１の所有ポイントを自動的に回復させるか否かの設定を受け付け、
前記第１の所有ポイントを自動的に回復させることが設定された場合、前記第１の所有ポイントを自動的に回復させる、請求項１に記載のゲーム制御方法。
【請求項３】
プレイヤによる自動使用可能な前記回復アイテムの種類の設定を受け付け、
前記第１の所有ポイントを自動的に回復させるために、前記自動使用可能な種類の前記回復アイテムのみが用いられる、請求項１または２に記載のゲーム制御方法。
【請求項４】
前記第１の所有ポイントを自動的に回復させた回数を記憶させ、
前記回数に応じて、プレイヤに特典を付与する、請求項１〜３の何れか一項に記載のゲーム制御方法。
【請求項５】
前記第１の所有ポイントを自動的に回復させた回数を記憶させ、
前記回数に応じて、前記第１の所有ポイントの回復率又は回復量を変化させる、請求項１〜４の何れか一項に記載のゲーム制御方法。
【請求項６】
前記第１の所有ポイントを自動的に回復させた回数を記憶させ、
前記回数に応じて、前記所定値を変化させる、請求項１〜５の何れか一項に記載のゲーム制御方法。
【請求項７】
前記第１の所有ポイントを自動的に回復させる場合の回復率又は回復量と、前記第１の所有ポイントをプレイヤの指示に従って回復させる場合の回復率又は回復量とを記憶させ、
前記第１の所有ポイントを自動的に回復させる場合の回復率又は回復量は、前記第１の所有ポイントをプレイヤの指示に従って回復させる場合の回復率又は回復量よりも大きく設定する、請求項１〜６の何れか一項に記載のゲーム制御方法。
【請求項８】
プレイヤ毎に、プレイヤに関連する他のプレイヤと、前記他のプレイヤが所有する第１の所有ポイントとを記憶し、
前記プレイヤの第１の所有ポイントの回復に応じて、当該プレイヤに関連する他のプレイヤの第１の所有ポイントも回復させる、請求項１〜７の何れか一項に記載のゲーム制御方法。
【請求項９】
プレイヤに関連する他のプレイヤとは、プレイヤと同一のグループに所属する他のプレイヤ、プレイヤとフレンド関係にある他のプレイヤ、又は、過去の対戦もしくはクエストにおいてプレイヤを救援した他のプレイヤである、請求項８に記載のゲーム制御方法。
【請求項１０】
ゲームを実行するコンピュータであって、
前記ゲームを実行するプレイヤについて、前記ゲームが実行されるたびに消費される第１の所有ポイント及び第２の所有ポイント、並びに、前記第１の所有ポイントを回復させるための回復アイテムを記憶する記憶部と、
前記ゲームの進行によって前記第１の所有ポイントが所定値未満となった場合、前記回復アイテムを用いて前記第１の所有ポイントを自動的に回復させ、前記第１の所有ポイントの回復に応じて前記第２の所有ポイントを回復させる回復部と、
を備えることを特徴とするコンピュータ。
【請求項１１】
記憶部を備え、ゲームを実行するコンピュータの制御プログラムであって、
前記ゲームを実行するプレイヤについて、前記ゲームが実行されるたびに消費される第１の所有ポイント及び第２の所有ポイント、並びに、前記第１の所有ポイントを回復させるための回復アイテムを前記記憶部に記憶し、
前記ゲームの進行によって前記第１の所有ポイントが所定値未満となった場合、前記回復アイテムを用いて前記第１の所有ポイントを自動的に回復させ、
前記第１の所有ポイントの回復に応じて前記第２の所有ポイントを回復させる、
ことを前記コンピュータに実行させることを特徴とする制御プログラム。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
被検体に光を照射する発光部と、
前記被検体からの光を受光する第１の受光部及び第２の受光部と、
前記第１の受光部よりも前記被検体側の位置に設けられ、前記被検体からの光を透過し、且つ前記被検体の生体情報の測定時に前記被検体に接触する透光部材と、
を含み、
前記透光部材から前記第１の受光部へ向かう方向からの平面視において、前記発光部および前記第１の受光部を含む領域をＲ１、前記発光部および前記第２の受光部を含む領域をＲ２とした場合に、領域のサイズはＲ１＜Ｒ２であることを特徴とする生体情報検出装置。
【請求項２】
請求項１において、
前記発光部と前記第１の受光部との距離をＬ１とし、前記発光部と前記第２の受光部との距離をＬ２とした場合に、Ｌ２＞Ｌ１であることを特徴とする生体情報検出装置。
【請求項３】
請求項１又は２において、
前記発光部と前記第１の受光部との距離をＬ１とし、前記発光部と前記第２の受光部との距離をＬ２とした場合に、Ｌ２＞２×Ｌ１であることを特徴とする生体情報検出装置。
【請求項４】
請求項１乃至３のいずれかにおいて、
前記発光部と前記第１の受光部との距離Ｌ１は、１ｍｍ≦Ｌ１≦３ｍｍであり、
前記発光部と前記第２の受光部との距離Ｌ２は、２ｍｍ≦Ｌ２であることを特徴とする生体情報検出装置。
【請求項５】
請求項１乃至４のいずれかにおいて、
前記第１の受光部は、
前記発光部と前記第２の受光部との間に配置されることを特徴とする生体情報検出装置。
【請求項６】
請求項１乃至４のいずれかにおいて、
前記発光部は、
前記第１の受光部と前記第２の受光部との間に配置されることを特徴とする生体情報検出装置。
【請求項７】
請求項１乃至６のいずれかにおいて、
前記Ｒ１は、前記発光部及び前記第１の受光部を含む最小の長方形で表される領域であり、前記Ｒ２は、前記発光部および前記第２の受光部を含む最小の長方形で表される領域であることを特徴とする生体情報検出装置。
【請求項８】
請求項１乃至７のいずれかにおいて、
前記Ｒ１の平均高さをｈ１、前記Ｒ２の平均高さをｈ２とした場合に、ｈ１＞ｈ２であることを特徴とする生体情報検出装置。
【請求項９】
請求項８において、
前記透光部材の周囲に設けられ、前記被検体の前記生体情報の測定時に、前記被検体に接触する接触部を有し、
前記接触部に対応する位置又は領域における高さをｈ３とした場合に、ｈ１＞ｈ３＞ｈ２であることを特徴とする生体情報検出装置。
【請求項１０】
請求項１乃至９のいずれかにおいて、
前記透光部材は曲面状の凸部を有することを特徴とする生体情報検出装置。
【請求項１１】
請求項１乃至１０のいずれかに記載の生体情報検出装置を含むことを特徴とする電子機器。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
遊技状態に応じた演出表示を行う表示手段と、
複数の発光素子を有し、前記複数の発光素子を発光させるとともに可動な演出体と、
を備え、
前記表示手段は、前記演出体の前記複数の発光素子を発光させていないとき、前記表示手段で表示される演出表示が視認可能な第１態様となり、前記演出体の前記複数の発光素子を発光させているとき、前記表示手段で表示される演出表示が前記第１態様に比べて視認困難な第２態様となることを特徴とする遊技機。
【請求項２】
前記表示手段は、第１演出面を有し、当該第１演出面が前記演出体における第２演出面と共に演出を実行可能に構成されていること
を特徴とする請求項１に記載の遊技機。
【手続補正２】
【補正対象書類名】明細書
【補正対象項目名】０００８
【補正方法】変更
【補正の内容】
【０００８】
［適用例１］
本発明に係る遊技機（１）は、遊技状態に応じた演出表示を行う表示手段（１０５）と、複数の発光素子（３３０２）を有し、前記複数の発光素子（３３０２）を発光させるとともに可動な演出体（１４０）と、を備え、前記表示手段は、前記演出体の前記複数の発光素子を発光させていないとき、前記表示手段で表示される演出表示が視認可能な第１態様となり、前記演出体の前記複数の発光素子を発光させているとき、前記表示手段で表示される演出表示が前記第１態様に比べて視認困難な第２態様となることを要旨とする。
［適用例２］
適用例１の遊技機（１）であって、前記表示手段は、第１演出面（１０５）を有し、当該第１演出面が前記演出体における第２演出面（３３０１，３３０２）と共に演出を実行可能に構成されていることを要旨とする。
【手続補正３】
【補正対象書類名】明細書
【補正対象項目名】０００９
【補正方法】削除
【補正の内容】
【手続補正４】
【補正対象書類名】明細書
【補正対象項目名】０４０５
【補正方法】変更
【補正の内容】
【０４０５】
１…遊技機（遊技機）
１０５…主液晶表示装置（表示手段、第１演出面）
１４０…回転表示装置（演出体）
３３０１…回路基板（第２演出面）
３３０２…ＬＥＤ（発光素子、第２演出面）
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
前記球送り手段に設けられる不正防止部材と
を具備する遊技機であって、
前記不正防止部材は、屈曲した金属板材からなり、該金属板材の屈曲により形成された第１板面部と第２板面部との間に、遊技球に設けられた線材が進入しうる隙間が形成されたものであり、
前記金属板材における前記第１板面部は、前記第２板面部に対して屈曲した面部であり、前記球送り手段に対する前記金属板材の取付は、該金属板材における前記第１板面部以外の部位でなされ、
前記金属板材には、遊技球に設けられた線材を前記隙間に誘導可能な誘導部が設けられ、
前記通過口は、遊技球が通過する球通過部分に連通して、遊技球が通過しないものの線材が進入可能な球非通過部分が形成されたものであり、
前記金属板材は、前記球非通過部分に前記隙間が位置するように配置され、
前記球非通過部分は、前記球通過部分に対して、前記発射位置から発射された遊技球の進行方向側に形成された開口である
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
【特許文献１】特開２００８−７３３４０号公報
【手続補正５】
【補正対象書類名】明細書
【補正対象項目名】０００５
【補正方法】変更
【補正の内容】
【０００５】
しかしながら、従来の遊技機では、線材を取り付けた遊技媒体を、通常の遊技媒体と同様に貯留部から遊技領域内へ発射して行うような不正行為については考慮されていなかった。
【手続補正６】
【補正対象書類名】明細書
【補正対象項目名】０００６
【補正方法】変更
【補正の内容】
【０００６】
この発明は、こうした実情に鑑みてなされたものであり、遊技媒体に線材を付着して行われる不正行為を抑止することが可能な遊技機を提供することを目的する。
【手続補正７】
【補正対象書類名】明細書
【補正対象項目名】０００７
【補正方法】変更
【補正の内容】
【０００７】
請求項１に記載の遊技機は、
複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
前記球送り手段に設けられる不正防止部材と
を具備する遊技機であって、
前記不正防止部材は、屈曲した金属板材からなり、該金属板材の屈曲により形成された第１板面部と第２板面部との間に、遊技球に設けられた線材が進入しうる隙間が形成されたものであり、
前記金属板材における前記第１板面部は、前記第２板面部に対して屈曲した面部であり、前記球送り手段に対する前記金属板材の取付は、該金属板材における前記第１板面部以外の部位でなされ、
前記金属板材には、遊技球に設けられた線材を前記隙間に誘導可能な誘導部が設けられ、
前記通過口は、遊技球が通過する球通過部分に連通して、遊技球が通過しないものの線材が進入可能な球非通過部分が形成されたものであり、
前記金属板材は、前記球非通過部分に前記隙間が位置するように配置され、
前記球非通過部分は、前記球通過部分に対して、前記発射位置から発射された遊技球の進行方向側に形成された開口である
ことを特徴とする。
【手続補正８】
【補正対象書類名】明細書
【補正対象項目名】００９０
【補正方法】変更
【補正の内容】
【００９０】
この発明によれば、遊技媒体に線材を付着して行われる不正行為を抑止することが可能な遊技機を提供することができる。
【手続補正９】
【補正対象書類名】明細書
【補正対象項目名】１２４２
【補正方法】削除
【補正の内容】
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
遊技者に所定の遊技利益を付与するか否かを決定する大役抽選が実行される遊技機であって、
遊技球が流下する遊技領域が形成された遊技盤と、
前記遊技領域を流下する遊技球が進入可能な始動領域と、
前記始動領域への遊技球の進入を条件として、前記大役抽選で用いる情報を少なくとも含む保留情報を取得して記憶部に記憶する保留記憶手段と、
予め設定された始動条件の成立により、前記記憶部に記憶された保留情報を読み出して前記大役抽選を実行する抽選手段と、
前記大役抽選により前記遊技利益を付与する決定がなされたことを条件として、該遊技利益を付与する遊技利益付与手段と、
前記保留情報に対応する保留画像の表示形態を、該保留情報に基づいて決定する保留表示決定手段と、
前記保留表示決定手段の決定にしたがって、前記保留画像を保留表示部に表示する保留表示制御手段と、
を備え、
前記保留表示決定手段は、
前記記憶部に保留情報が記憶される場合に、該保留情報に対応する保留画像の表示形態を、予め設定された通常分類に属する複数の通常表示形態の中から決定し、
前記保留表示部に前記通常表示形態で表示されている前記保留画像の表示形態について、予め設定された特殊分類に属する特殊表示形態に再決定する場合があり、
前記保留表示制御手段は、
前記特殊表示形態が再決定された保留画像を前記通常表示形態から該特殊表示形態に変更し、
前記保留表示部に表示される保留画像の表示形態を前記特殊表示形態に変更した場合、該保留表示部に該特殊表示形態で表示されている該保留画像を、予め設定された時期に、前記保留表示決定手段によって先に決定されていた前記通常表示形態に再変更することを特徴とする遊技機。
【請求項２】
前記保留表示部は、
前記記憶部に記憶されている保留情報に対応する保留画像が表示される読出前保留表示領域と、
前記大役抽選で読み出された保留情報に対応する保留画像が表示される読出後保留表示領域と、
を備え、
前記保留表示制御手段は、
前記大役抽選で保留情報が読み出されると、該保留情報に対応する保留画像を、前記読出前保留表示領域から前記読出後保留表示領域にシフトさせ、
前記特殊表示形態で表示されている保留画像を、前記読出前保留表示領域から前記読出後保留表示領域にシフトした場合、該シフト後、所定時間内に、該保留画像を前記通常表示形態に再変更することを特徴とする請求項１に記載の遊技機。
【請求項３】
前記保留表示決定手段は、
前記記憶部に保留情報が記憶される場合に、該保留情報に対応する保留画像の表示形態として、複数の異なる通常表示形態を決定する場合があり、複数の異なる通常表示形態を決定した場合には、複数の該通常表示形態それぞれの表示時期を併せて決定し、
前記保留表示制御手段は、
複数の異なる前記通常表示形態が決定された特定保留情報の保留画像について、前記保留表示決定手段によって決定された表示時期にしたがって、該保留画像の表示形態を変更し、
前記特定保留情報の保留画像の表示形態が前記通常表示形態から前記特殊表示形態に変更された後、該特殊表示形態から通常表示形態に再変更する場合、前記保留表示決定手段によって決定された複数の通常表示形態のうち、該再変更時が含まれる表示時期に表示することが決定されていた表示形態に再変更することを特徴とする請求項１または２に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技者に所定の遊技利益を付与するか否かを決定する大役抽選が実行される遊技機であって、遊技球が流下する遊技領域が形成された遊技盤と、前記遊技領域を流下する遊技球が進入可能な始動領域と、前記始動領域への遊技球の進入を条件として、前記大役抽選で用いる情報を少なくとも含む保留情報を取得して記憶部に記憶する保留記憶手段と、予め設定された始動条件の成立により、前記記憶部に記憶された保留情報を読み出して前記大役抽選を実行する抽選手段と、前記大役抽選により前記遊技利益を付与する決定がなされたことを条件として、該遊技利益を付与する遊技利益付与手段と、前記保留情報に対応する保留画像の表示形態を、該保留情報に基づいて決定する保留表示決定手段と、前記保留表示決定手段の決定にしたがって、前記保留画像を保留表示部に表示する保留表示制御手段と、を備え、前記保留表示決定手段は、前記記憶部に保留情報が記憶される場合に、該保留情報に対応する保留画像の表示形態を、予め設定された通常分類に属する複数の通常表示形態の中から決定し、前記保留表示部に前記通常表示形態で表示されている前記保留画像の表示形態について、予め設定された特殊分類に属する特殊表示形態に再決定する場合があり、前記保留表示制御手段は、前記特殊表示形態が再決定された保留画像を前記通常表示形態から該特殊表示形態に変更し、前記保留表示部に表示される保留画像の表示形態を前記特殊表示形態に変更した場合、該保留表示部に該特殊表示形態で表示されている該保留画像を、予め設定された時期に、前記保留表示決定手段によって先に決定されていた前記通常表示形態に再変更することを特徴とする。
【手続補正３】
【補正対象書類名】明細書
【補正対象項目名】０００９
【補正方法】変更
【補正の内容】
【０００９】
また、前記保留表示決定手段は、前記記憶部に保留情報が記憶される場合に、該保留情報に対応する保留画像の表示形態として、複数の異なる通常表示形態を決定する場合があり、複数の異なる通常表示形態を決定した場合には、複数の該通常表示形態それぞれの表示時期を併せて決定し、前記保留表示制御手段は、複数の異なる前記通常表示形態が決定された特定保留情報の保留画像について、前記保留表示決定手段によって決定された表示時期にしたがって、該保留画像の表示形態を変更し、前記特定保留情報の保留画像の表示形態が前記通常表示形態から前記特殊表示形態に変更された後、該特殊表示形態から通常表示形態に再変更する場合、前記保留表示決定手段によって決定された複数の通常表示形態のうち、該再変更時が含まれる表示時期に表示することが決定されていた表示形態に再変更するとよい。
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
導電性の補強部の上に一定の厚さの層を成す接着剤層を介して設けられるフレキシブルプリント配線板であって、
下面で前記接着剤層に接し、柔軟性を有し、少なくとも２０００Ｖの耐電圧値を有するフィルム状の絶縁基材と、
前記絶縁基材の上面に形成され、回路パターンを構成する導電体層と、を備えるフレキシブルプリント配線板であって、
前記絶縁基材は、その主成分がポリイミドであり、フィラーの含有率が０％であって、表面が平坦である、フレキシブルプリント配線板。
【請求項２】
導電性の補強部の上に一定の厚さの層を成す接着剤層を介して設けられるフレキシブルプリント配線板であって、
下面で前記接着剤層に接し、柔軟性を有し、少なくとも２０００Ｖの耐電圧値を有するフィルム状の絶縁基材と、
前記絶縁基材の上面に形成され、回路パターンを構成する導電体層と、を備えるフレキシブルプリント配線板であって、
前記絶縁基材は、厚さが１０μｍ〜５０μｍの範囲にあって、主成分がポリイミドであり、フィラーの含有率の上限値が０．２％である、フレキシブルプリント配線板。
【請求項３】
平面状の底面を有する筐体と、
前記底面上に取り付けられた導電性の補強板と、
前記補強部の上で一定の厚さの層を成す接着剤層と、
前記底面上に複数列に並べて配置されたフレキシブルプリント配線板と、
前記筐体に取り付けられ、太陽光を集束させるレンズ要素が複数個配列されて成る集光部と、
前記レンズ要素の各々の集光位置に対応するように前記フレキシブルプリント配線板に搭載され、集束した光を受けて発電するセルと、を備える集光型太陽光発電モジュールであって、前記フレキシブルプリント配線板は、
下面で前記接着剤層に接し、柔軟性を有し、少なくとも２０００Ｖの耐電圧値を有する細片フィルム状の絶縁基材と、
前記絶縁基材の上面に形成され、回路パターンを構成する導電体層と、を備え、
前記絶縁基材は、その主成分がポリイミドであり、フィラーの含有率が０％であって表面が平坦である、集光型太陽光発電モジュール。
【請求項４】
平面状の底面を有する筐体と、
前記底面上に取り付けられた導電性の補強板と、
前記補強部の上で一定の厚さの層を成す接着剤層と、
前記底面上に複数列に並べて配置されたフレキシブルプリント配線板と、
前記筐体に取り付けられ、太陽光を集束させるレンズ要素が複数個配列されて成る集光部と、
前記レンズ要素の各々の集光位置に対応するように前記フレキシブルプリント配線板に搭載され、集束した光を受けて発電するセルと、を備える集光型太陽光発電モジュールであって、前記フレキシブルプリント配線板は、
下面で前記接着剤層に接し、柔軟性を有し、少なくとも２０００Ｖの耐電圧値を有する細片フィルム状の絶縁基材と、
前記絶縁基材の上面に形成され、回路パターンを構成する導電体層と、を備え、
前記絶縁基材は、厚さが１０μｍ〜５０μｍの範囲にあって、主成分がポリイミドであり、フィラーの含有率の上限値が０．２％である、集光型太陽光発電モジュール。
【請求項５】
請求項３又は請求項４に記載の集光型太陽光発電モジュールを複数個並べて成る集光型太陽光発電パネル。
【手続補正２】
【補正対象書類名】明細書
【補正対象項目名】００１０
【補正方法】変更
【補正の内容】
【００１０】
明細書及び図面には、少なくとも以下の発明を開示している。但し、本発明は、特許請求の範囲の記載によって示されるものである。
これは、柔軟性を有し、少なくとも２０００Ｖの耐電圧値を有するフィルム状の絶縁基材と、前記絶縁基材に形成され、回路パターンを構成する導電体層と、を備えるフレキシブルプリント配線板であって、前記絶縁基材は、その主成分がポリイミドであり、フィラーの含有率が０％である。
【手続補正３】
【補正対象書類名】明細書
【補正対象項目名】００１１
【補正方法】変更
【補正の内容】
【００１１】
また、これは、柔軟性を有し、少なくとも２０００Ｖの耐電圧値を有するフィルム状の絶縁基材と、前記絶縁基材に形成され、回路パターンを構成する導電体層と、を備えるフレキシブルプリント配線板であって、前記絶縁基材は、厚さが１０μｍ〜５０μｍの範囲にあって、主成分がポリイミドであり、フィラーの含有率が０．２％以下である。
【手続補正４】
【補正対象書類名】明細書
【補正対象項目名】００１２
【補正方法】変更
【補正の内容】
【００１２】
また、これは、平面状の底面を有する筐体と、前記底面上に複数列に並べて配置されたフレキシブルプリント配線板と、前記筐体に取り付けられ、太陽光を集束させるレンズ要素が複数個配列されて成る集光部と、前記レンズ要素の各々の集光位置に対応するように前記フレキシブルプリント配線板に搭載され、集束した光を受けて発電するセルと、を備える集光型太陽光発電モジュールであって、前記フレキシブルプリント配線板は、柔軟性を有し、少なくとも２０００Ｖの耐電圧値を有する細片フィルム状の絶縁基材と、前記絶縁基材に形成され、回路パターンを構成する導電体層と、を備え、前記絶縁基材は、その主成分がポリイミドであり、フィラーの含有率が０％である。
【手続補正５】
【補正対象書類名】明細書
【補正対象項目名】００１３
【補正方法】変更
【補正の内容】
【００１３】
また、これは、平面状の底面を有する筐体と、前記底面上に複数列に並べて配置されたフレキシブルプリント配線板と、前記筐体に取り付けられ、太陽光を集束させるレンズ要素が複数個配列されて成る集光部と、前記レンズ要素の各々の集光位置に対応するように前記フレキシブルプリント配線板に搭載され、集束した光を受けて発電するセルと、を備える集光型太陽光発電モジュールであって、前記フレキシブルプリント配線板は、柔軟性を有し、少なくとも２０００Ｖの耐電圧値を有する細片フィルム状の絶縁基材と、前記絶縁基材に形成され、回路パターンを構成する導電体層と、を備え、前記絶縁基材は、厚さが１０μｍ〜５０μｍの範囲にあって、主成分がポリイミドであり、フィラーの含有率が０．２％以下である。